(57)【要約】【課題】酸素濃度を通常酸素濃度から低酸素濃度にかけて調整可能な酸素濃度可変空間において、火災を早期かつ確実に検出すること等ができる、酸素濃度可変空間における火災検出システムを提供することを課題とする。【解決手段】酸素濃度を通常酸素濃度から低酸素濃度にかけて調整可能な対象空間１における火災を検出するための火災検出システムであって、対象空間１における第１の検出位置において火災を検出可能な煙センサ２と、対象空間１における第１の検出位置よりも下方である第２の検出位置において火災を検出可能なＣＯセンサ３ａ〜３ｄとを備える。そして、対象空間１の酸素濃度に基づいて、火災の検出に用いるセンサを、煙センサ２とＣＯセンサ３ａ〜３ｄとの両方又はいずれか一方に切り替える。【選択図】        図１
2006236086.tif 000002
【特許請求の範囲】
【請求項１】
酸素濃度を通常酸素濃度から低酸素濃度にかけて調整可能な酸素濃度可変空間における火災を検出するための火災検出システムであって、
前記酸素濃度可変空間における第１の検出位置と、前記酸素濃度可変空間における前記第１の検出位置よりも下方である第２の検出位置と、の少なくとも２位置において火災を検出可能なセンサ、
を備えることを特徴とする酸素濃度可変空間における火災検出システム。
【請求項２】
前記センサは、
前記第１の検出位置に設置された第１のセンサと、
前記第２の検出位置に設置された第２のセンサとから構成され、
前記酸素濃度可変空間の酸素濃度に基づいて、火災の検出に用いるセンサを前記第１のセンサと前記第２のセンサとの両方又はいずれか一方に切り替えることにより、前記センサにおける火災の検出位置を変更する制御手段を備えたこと、
を特徴とする請求項１に記載の酸素濃度可変空間における火災検出システム。
【請求項３】
前記第１のセンサは、煙センサであり、
前記第２のセンサは、ＣＯセンサであること、
を特徴とする請求項２に記載の酸素濃度可変空間における火災検出システム。
【請求項４】
前記センサを、前記第１の検出位置と前記第２の検出位置とに移動させる移動手段と、
前記酸素濃度可変空間の酸素濃度に基づいて、前記センサを前記第１のセンサと前記第２のセンサとのいずれか一方に前記移動手段を介して移動させることにより、前記センサにおける火災の検出位置を変更する制御手段と、
を備えたことを特徴とする請求項１に記載の酸素濃度可変空間における火災検出システム。
【請求項５】
前記酸素濃度可変空間の酸素濃度が所定の酸素濃度以上である場合には、前記第１の検出位置において前記センサによる火災を検出可能とし、
前記酸素濃度可変空間の酸素濃度が前記所定の酸素濃度未満である場合には、前記第２の検出位置において前記センサによる火災を検出可能としたこと、
を特徴とする請求項１から４のいずれか一項に記載の酸素濃度可変空間における火災検出システム。
【請求項６】
前記第１の検出位置は、前記酸素濃度可変空間における天井近傍の位置であること、
を特徴とする請求項１から５のいずれか一項に記載の酸素濃度可変空間における火災検出システム。
【請求項７】
酸素濃度を通常酸素濃度から低酸素濃度にかけて調整可能な酸素濃度可変空間における火災を検出するための火災検出システムであって、
前記酸素濃度可変空間における所定の第１の物理量と、前記酸素濃度可変空間における前記第１の物理量とは異なる第２の物理量と、の少なくとも２種類の物理量を検出することによって火災を検出可能なセンサ、
を備えることを特徴とする酸素濃度可変空間における火災検出システム。
【請求項８】
前記酸素濃度可変空間の酸素濃度が所定の酸素濃度以上である場合には、前記第１の物理量を検出することによって前記センサによる火災を検出可能とし、
前記酸素濃度可変空間の酸素濃度が前記所定の酸素濃度未満である場合には、前記第２の物理量を検出することによって前記センサによる火災を検出可能としたこと、
を特徴とする請求項７に記載の酸素濃度可変空間における火災検出システム。
【請求項９】
前記第１の物理量は、煙であり、
前記第２の物理量は、ＣＯであること、
を特徴とする請求項７又は８に記載の酸素濃度可変空間における火災検出システム。
【発明の詳細な説明】
【技術分野】
【０００１】
本発明は、対象空間における火災を検出するための火災検出システムであって、特に、酸素濃度を通常酸素濃度から低酸素濃度にかけて調整可能な酸素濃度可変空間における火災を検出するための火災検出システムに関する。
【背景技術】
【０００２】
従来から、対象空間における各種の物理量を検出し、この検出された物理量が所定の閾値を超えた場合には火災が発生したものと判断してその旨を報知等する火災感知器が提案されている。例えば、発光手段と受光手段とを備え、発光手段にて発光された光の煙による散乱光を受光手段にて受光し、この受光量が所定の閾値を超えた場合には火災が発生したものと判断して発報出力を行う煙センサがある（例えば、特許文献１参照）。あるいは、一酸化炭素（ＣＯ）検出素子を備え、このＣＯ検出素子にて検出されたＣＯの量が所定の閾値を超えた場合には火災が発生したものと判断して発報出力を行うＣＯセンサがある（例えば、特許文献２参照）。
【０００３】
また従来から、人間の出入りが少ない空間を低酸素濃度化することによって、この空間における火災を未然に防ぐことができる防火システムが提案されている（例えば、特許文献３参照）。このような従来の酸素濃度可変空間における火災検出システムは、例えば、対象空間に対して不活性ガスを供給する不活性ガス供給装置と、対象空間に外気を供給する外気供給装置とを備えて構成されていた。そして、人間の不在時には、不活性ガス供給装置を用いて対象空間に不活性ガスを充満させることによって、この対象空間を不燃焼雰囲気にし、人間の在室時には、外気供給装置を用いて対象空間に外気を供給することによって、この対象空間を人間が生存できる酸素濃度にしていた。このようなシステムによれば、不燃焼雰囲気にしている時には、対象空間での火災発生を防止でき、人間が生存できる酸素濃度にしている時には、対象空間に人間が入っても健康上の支障を生じることがないという利点がある。
【０００４】
【特許文献１】特開平８−１７１６８６号公報
【特許文献２】特開２００１−２１６５８０号公報
【特許文献３】特開２００３−１０２８５８号公報
【発明の開示】
【発明が解決しようとする課題】
【０００５】
ここで、本願発明者は、火災発生を示す各種の物理状態（例えば、対象空間における煙やＣＯの拡散状態）は、対象空間の酸素（Ｏ2）の濃度が通常酸素濃度である場合と低酸素濃度である場合とでは、異なる性質（挙動）を示すことを見出した。しかしながら、上記従来の火災センサの設置位置や火災発報条件は、対象空間が通常酸素濃度であるものと想定して決定されているので、対象空間が低酸素濃度である場合には早期に火災感知を行うことができない等、様々な不具合が生じる可能性があった。
【０００６】
例えば、従来の煙センサやＣＯセンサは、対象空間の天井やその近傍位置に配置されていた。これは、対象空間が通常酸素濃度である場合には、火災が発生すると高温の熱気流が立ち上がり、この熱気流に伴って煙やＣＯが天井近傍に比較的早期に上昇するので、これら煙やＣＯを早期に検出するためには天井近傍に煙センサやＣＯセンサを設置することが合理的であるためである。これに対して、本願発明者は、対象空間が低酸素濃度である場合には、火災源があっても不完全燃焼状態になって出火に至らないため、煙やＣＯが熱気流によって上昇せずに対象空間の全体にゆっくりと漂うことを見出だした。従って、煙センサやＣＯセンサを従来のように対象空間の天井近傍に配置しても、火災を早期に発見できない可能性があった。
【０００７】
また、従来は、対象空間に煙センサやＣＯセンサのいずれか一方のみを配置しており、あるいは、これら両方のセンサを配置する場合であってもそれぞれを相互に独立して配置していた。これは、対象空間が通常酸素濃度である場合には、火災の発生に伴って煙やＣＯの量が共に上昇し、これらのいずれかを検出することで火災発生を感知できるからである。これに対して、本願発明者は、対象空間が低酸素濃度である場合には、火災源があっても不完全燃焼状態になるため、煙の量がなかなか増加しない一方で、ＣＯの量が急激に増加することを見出した。従って、煙センサのみを配置しても、火災を早期に発見できない可能性があった。
【０００８】
これらのことから、対象空間が低酸素濃度である場合においては、従来とは異なる火災検出システムが必要となるが、特に、酸素濃度を通常酸素濃度から低酸素濃度にかけて調整可能な酸素濃度可変空間においては、通常酸素濃度に好適な火災検出システムのみや、低酸素濃度に好適な火災検出システムのみを設けたのでは不十分であり、いずれの酸素濃度においても好適な性能を発揮し得る火災検出システムを構築することが必要になる。
【０００９】
本発明は、上記に鑑みてなされたものであって、酸素濃度を通常酸素濃度から低酸素濃度にかけて調整可能な酸素濃度可変空間において、火災を早期かつ確実に検出すること等ができる、酸素濃度可変空間における火災検出システムを提供することを目的とする。
【課題を解決するための手段】
【００１０】
上述した課題を解決し、目的を達成するために、請求項１に記載の酸素濃度可変空間における火災検出システムは、酸素濃度を通常酸素濃度から低酸素濃度にかけて調整可能な酸素濃度可変空間における火災を検出するための火災検出システムであって、前記酸素濃度可変空間における第１の検出位置と、前記酸素濃度可変空間における前記第１の検出位置よりも下方である第２の検出位置と、の少なくとも２位置において火災を検出可能なセンサを備えることを特徴とする。
【００１１】
また、請求項２に記載の酸素濃度可変空間における火災検出システムは、請求項１に記載の酸素濃度可変空間における火災検出システムにおいて、前記センサは、前記第１の検出位置に設置された第１のセンサと、前記第２の検出位置に設置された第２のセンサとから構成され、前記酸素濃度可変空間の酸素濃度に基づいて、火災の検出に用いるセンサを前記第１のセンサと前記第２のセンサとの両方又はいずれか一方に切り替えることにより、前記センサにおける火災の検出位置を変更する制御手段を備えたことを特徴とする。
【００１２】
また、請求項３に記載の酸素濃度可変空間における火災検出システムは、請求項２に記載の酸素濃度可変空間における火災検出システムにおいて、前記第１のセンサは、煙センサであり、前記第２のセンサは、ＣＯセンサであることを特徴とする。
【００１３】
また、請求項４に記載の酸素濃度可変空間における火災検出システムは、請求項１に記載の酸素濃度可変空間における火災検出システムにおいて、前記センサを、前記第１の検出位置と前記第２の検出位置とに移動させる移動手段と、前記酸素濃度可変空間の酸素濃度に基づいて、前記センサを前記第１のセンサと前記第２のセンサとのいずれか一方に前記移動手段を介して移動させることにより、前記センサにおける火災の検出位置を変更する制御手段とを備えたことを特徴とする。
【００１４】
また、請求項５に記載の酸素濃度可変空間における火災検出システムは、請求項１から４のいずれか一項に記載の酸素濃度可変空間における火災検出システムにおいて、前記酸素濃度可変空間の酸素濃度が所定の酸素濃度以上である場合には、前記第１の検出位置において前記センサによる火災を検出可能とし、前記酸素濃度可変空間の酸素濃度が前記所定の酸素濃度未満である場合には、前記第２の検出位置において前記センサによる火災を検出可能としたことを特徴とする。
【００１５】
また、請求項６に記載の酸素濃度可変空間における火災検出システムは、請求項１から５のいずれか一項に記載の酸素濃度可変空間における火災検出システムにおいて、前記第１の検出位置は、前記酸素濃度可変空間における天井近傍の位置であることを特徴とする。
【００１６】
また、請求項７に記載の酸素濃度可変空間における火災検出システムは、酸素濃度を通常酸素濃度から低酸素濃度にかけて調整可能な酸素濃度可変空間における火災を検出するための火災検出システムであって、前記酸素濃度可変空間における所定の第１の物理量と、前記酸素濃度可変空間における前記第１の物理量とは異なる第２の物理量と、の少なくとも２種類の物理量を検出することによって火災を検出可能なセンサを備えることを特徴とする。
【００１７】
また、請求項８に記載の酸素濃度可変空間における火災検出システムは、請求項７に記載の酸素濃度可変空間における火災検出システムにおいて、前記酸素濃度可変空間の酸素濃度が所定の酸素濃度以上である場合には、前記第１の物理量を検出することによって前記センサによる火災を検出可能とし、前記酸素濃度可変空間の酸素濃度が前記所定の酸素濃度未満である場合には、前記第２の物理量を検出することによって前記センサによる火災を検出可能としたことを特徴とする。
【００１８】
また、請求項９に記載の酸素濃度可変空間における火災検出システムは、請求項７又は８に記載の酸素濃度可変空間における火災検出システムにおいて、前記第１の物理量は、煙であり、前記第２の物理量は、ＣＯであることを特徴とする。
【発明の効果】
【００１９】
本発明に係る酸素濃度可変空間における火災検出システムによれば、酸素濃度可変空間における第１の検出位置と第２の検出位置との少なくとも２位置において火災を検出できるので、酸素濃度に応じて変化する酸素濃度可変空間の物理現象に好適な形態で火災感知を行うことができ、早期かつ確実な火災感知を行うことができる。
【００２０】
また、本発明に係る酸素濃度可変空間における火災検出システムによれば、酸素濃度可変空間の酸素濃度に基づいて、火災の検出に用いるセンサを第１の検出位置に配置された第１のセンサと第２の検出位置に配置された第２のセンサとの両方又はいずれか一方に自動的に切り替えるので、酸素濃度に応じて変化する酸素濃度可変空間の物理現象に好適な位置で火災感知を行うことができ、早期かつ確実な火災感知を行うことができる。また、２つの位置のそれぞれにセンサを配置しておくことで、１つのセンサを２位置に移動させるための機構や制御が不要になることから、火災監視システムを簡易かつ安価に構成することができる。
【００２１】
また、本発明に係る酸素濃度可変空間における火災検出システムによれば、煙センサを上方に設け、ＣＯセンサを煙センサよりも下方に設けているので、通常酸素濃度環境下で天井近傍に上昇する煙を煙センサで検出し、低酸素濃度環境下で酸素濃度可変空間の全体に漂うＣＯをＣＯセンサで検出することで、いかなる酸度濃度環境下においても早期かつ確実な火災感知を行うことができる。
【００２２】
また、本発明に係る酸素濃度可変空間における火災検出システムによれば、火災感知に使用するセンサを自動的に移動させてその位置を変更することができるので、酸素濃度に応じて変化する酸素濃度可変空間の物理現象に好適な位置で火災感知を行うことができ、早期かつ確実な火災感知を行うことができる。また、１つのセンサを２つの位置に移動させることから、２位置のそれぞれにセンサを配置しておく必要がなく、センサ個数を減らすことで、火災監視システムを簡易かつ安価に構成することができる。
【００２３】
また、本発明に係る酸素濃度可変空間における火災検出システムによれば、酸素濃度可変空間の酸素濃度が、所定の酸素濃度以上である場合には、第１の検出位置において火災を検出可能とし、所定の酸素濃度未満である場合には、第２の検出位置において火災を検出可能としたので、酸素濃度可変空間の酸素濃度に基づいて、火災感知に使用するセンサを自動的に切り替えることができるので、酸素濃度に応じて変化する酸素濃度可変空間の物理現象に好適な位置で火災感知を行うことができ、早期かつ確実な火災感知を行うことができる。
【００２４】
また、本発明に係る酸素濃度可変空間における火災検出システムによれば、所定の酸素濃度以上である場合には、酸素濃度可変空間における天井近傍の位置で火災を検出するので、熱気流によって天井近傍に上昇する煙やＣＯを早期に検知することができる。
【００２５】
また、本発明に係る酸素濃度可変空間における火災検出システムによれば、２つの物理量を検出することによって火災を検出するので、いかなる環境下においても早期かつ確実な火災感知を行うことができる。
【００２６】
また、本発明に係る酸素濃度可変空間における火災検出システムによれば、所定の酸素濃度以上である場合には、第１の物理量によって火災を検出可能とし、所定の酸素濃度未満である場合には、第２の物理量によって火災を検出可能としたので、酸素濃度に応じて変化する酸素濃度可変空間の物理現象に物理量に基づいて火災感知を行うことができ、早期かつ確実な火災感知を行うことができる。
【００２７】
また、本発明に係る酸素濃度可変空間における火災検出システムによれば、煙センサとＣＯセンサを設けているので、通常酸素濃度環境下では従来と同様に煙センサで火災を検出し、低酸素濃度環境下では急激に濃度が上昇するＣＯをＣＯセンサで検出することで、いかなる酸度濃度環境下においても早期かつ確実な火災感知を行うことができる。
【発明を実施するための最良の形態】
【００２８】
以下に添付図面を参照して、この発明に係る酸素濃度可変空間における火災検出システムの実施の形態を詳細に説明する。まず、〔I〕本発明の基本的概念を説明した後、〔II〕本発明の各実施の形態について説明し、〔III〕最後に、本発明の実施の形態に対する変形例について説明する。
【００２９】
〔I〕本発明の基本的概念
まず、本発明の基本的概念について説明する。本発明は、酸素濃度を通常酸素濃度から低酸素濃度にかけて調整可能な酸素濃度可変空間において発生した火災を検出するための火災検出システムに関するものである。
【００３０】
ここで、対象空間は、基本的に任意であるが、例えば、データセンター、美術館、博物館、文化財保管施設、貴重品倉庫等、火災発生時の消火によるダメージを避けたいとの要求が強い場所や、超高層タワーの電気室等、通常の防火設備を設けることが困難な場所、あるいは、低酸素濃度を保持することで劣化を防止したい貴重品等を保管するような施設が該当する。
【００３１】
また、低酸素濃度とは、基本的には、一般大気の酸素濃度（約２１％、以下、「通常酸素濃度」と称する）よりも低い全ての酸素濃度を含む概念であり、特に、煙やＣＯの挙動が通常酸素濃度とは異なり得る濃度（火災により出火に至り得る濃度）である。以下の実施の形態では、約１７％以下の酸素濃度を「低酸素濃度」として説明するが、この具体的閾値は任意に変更することができる。
【００３２】
このように酸素濃度を調整するため、本発明では、対象空間に、各種の気体を導入する。具体的には、酸素濃度を低下させる場合には、不活性ガス又は不活性ガスを高濃度で含んだガスを導入する。ここで、不活性ガスの種類は任意であるが、以下では、窒素ガスを用いた例を説明するものとし、窒素ガス、又は。窒素ガスを通常よりも高濃度で含んだガスを、「窒素富化ガス」と称する。また、酸素濃度を上昇させる場合には、外気、酸素、酸素を通常よりも高濃度で含んだガス、又は、対象空間における酸素濃度よりも高い酸素濃度のガスを導入する。以下では、酸素又は酸素を高濃度で含んだガスを、「酸素富化ガス」と称する。
【００３３】
ここで、本発明の特徴の一つは、火災を検出するセンサを、対象空間における２以上の位置に配置している点にある。ここで、２以上の位置に配置する形態としては、２位置のそれぞれに固定的にセンサを配置する形態（後述する実施の形態１に示す形態）と、一つのセンサを２位置に移動させる形態（後述する実施の形態２に示す形態）とを挙げることができる。そして、対象空間が通常酸素濃度の場合と低酸素濃度の場合とで火災検出に用いるセンサの位置を切り替えることで、各酸素濃度環境下に適した位置で火災検出を行う。
【００３４】
また、本発明の他の特徴は、火災を検出するセンサとして、煙センサとＣＯセンサの２種類のセンサを設けた点にある。そして、対象空間が通常酸素濃度の場合と低酸素濃度の場合とで火災検出に用いるセンサの種類を切り替えることで、各酸素濃度環境下に適した種類のセンサで火災検出を行う（後述する実施の形態３に示す形態）。
【００３５】
〔II〕本発明の実施の形態
以下、本発明に係る酸素濃度可変空間における火災検出システムの各実施の形態について説明する。これら各実施の形態においては、火災検出システム等の全体構成について説明した後、この火災検出システムによって行われる火災検出処理について説明する。
【００３６】
〔実施の形態１〕
最初に、本発明に係る実施の形態１について説明する。この実施の形態１は、火災を検出するセンサを、対象空間における２位置のそれぞれに固定的にセンサを配置するものである。
【００３７】
（火災検出システムの構成）
図１は、本実施の形態１に係る火災検出システムの全体構成を示す図である。この図１において、対象空間１は特許請求の範囲における酸素濃度可変空間に対応するもので、上下左右を壁面にて囲繞された閉鎖空間として構成されている。この対象空間１には、図示のように、煙センサ２、ＣＯセンサ３ａ〜３ｄ（必要に応じてＣＯセンサ３と総称する）、及び、Ｏ2センサ４が配置されており、対象空間１の近傍には、酸素濃度調整ユニット５、酸素濃度制御盤６、及び、火災監視盤７が配置されている。そして、これら各部は、図示点線で示すように相互に電気的に接続されている。
【００３８】
このうち、煙センサ２は、対象空間１における煙の発生量に基づいて火災を検出するもので、特許請求の範囲における煙センサに対応する。この煙センサ２による検出原理は任意であるが、例えば、発光手段と受光手段とを備え、発光手段にて発光された光の煙による散乱光を受光手段にて受光し、この受光量が所定の閾値を超えた場合には火災が発生したものと判断して発報信号を出力する。
【００３９】
ここで、煙センサ２は、通常酸素濃度環境下において煙を早期に感知するために好適な位置、具体的には、対象空間１の天井１ａに設置されている。図２には、通常酸素濃度下における対象空間１の温度分布、図３には、低酸素濃度下における対象空間１の温度分布を示す（横軸は火源となるヒータをＯＮしてからの経過時間、縦軸は初期値からの温度変化を示す）。この図２に示すように、通常酸素濃度下においては発火に至るために温度が急激に上昇するが、図３に示すように、低酸素濃度下においては発火に至らないために温度上昇が小さいことが分かる。すなわち、対象空間１が通常酸素濃度である場合には、火災が発生すると高温の熱気流が立ち上がり、この熱気流に伴って煙が天井１ａの近傍に早期に上昇するので、この煙を早期に検出し得るように、天井１ａに煙センサ２が配置されている。なお、以下では、煙センサ２の設置位置を「第１の検出位置」と称し、対象空間１の床面から煙センサ２の設置位置（天井１ａの下面の位置）に至る高さを「第１の検出高さ（符号Ｈ１）」と称する。
【００４０】
また、ＣＯセンサ３は、対象空間１におけるＣＯの発生量に基づいて火災を検出するもので、特許請求の範囲におけるＣＯセンサに対応する。このＣＯセンサ３は、ＣＯ検出素子を備え、このＣＯ検出素子にて検出されたＣＯの量が所定の閾値を超えた場合には火災が発生したものと判断する。ここで、ＣＯセンサ３は、低酸素濃度環境下においてＣＯを早期に感知するための好適な位置、具体的には、煙センサ２の設置位置よりも低い位置に設置されている。すなわち、対象空間１が低酸素濃度である場合には、図３に示したように、火災源があっても不完全燃焼状態になって出火せず、煙やＣＯが熱気流によって上昇せずに対象空間１の全体にゆっくりと漂うので、このＣＯを早期に検出し得るように、天井１ａよりも低い位置にＣＯセンサ３が配置されている。以下では、ＣＯセンサ３の設置位置を「第２の検出位置」と称し、対象空間１の床面からＣＯセンサ３の設置位置（天井１ａより下方位置）に至る高さを「第２の検出高さ（符号Ｈ２）」と称する。
【００４１】
ここで、第２の検出位置は、ＣＯが人によって吸引された場合に当該人に与える悪影響を考慮して決定することが好ましい。すなわち、人がＣＯを一定量以上吸引するとその生命に危険が生じ得るため、人の頭が位置する高さにおいてＣＯを検出し、この検出量が人体に悪影響を与える所定量に達した場合には、火災発生の有無に関わらず、警報等を発することが好ましい。このため、本実施の形態１においては、ＣＯセンサ３の第２の検出高さＨ２を、人の居住域に一致する高さ、例えば、１〜２ｍ程度としている。また、このようにＣＯセンサ３を人の居住域に一致する高さに容易かつ確実に設置するため、ＣＯセンサ３ａは、従来と同様に壁面設置型として構成されており、対象空間１の壁面において、第２の検出高さＨ２の位置に配置されている。また、ＣＯセンサ３ｂはカード型として構成され、ＣＯセンサ３ｃは携帯電話一体型として構成されており、人によって携帯されている。
【００４２】
また、第２の検出位置は、ＣＯ源になり得る物の位置を考慮して決定することが好ましい。すなわち、低酸素濃度環境下においては火源があっても熱気流が生じずに天井１ａに上り難く、ＣＯが対象空間１の全体に漂う。このため、ＣＯを天井１ａの近傍で検出することは難しく、さらに、天井１ａより下方の位置であっても、ＣＯ源から離れる程検出が難しくなることが考えられる。従って、ＣＯ源になり得る物（例えば、可燃物）の近傍にＣＯセンサ３を配置することが好ましい。このため、ＣＯセンサ３ｄは、移動可能な卓上型として構成されており、対象空間１に配置された机の上に配置されている。
【００４３】
これらカード型のＣＯセンサ３ｂ、携帯電話一体型のＣＯセンサ３ｃ、及び、卓上型のＣＯセンサ３ｄは、公知の一般的なＣＯセンサの構成に加え、図示しない無線送信部を備えて構成されている。そして、火災発生を感知した場合には、その旨を示す発報信号を無線送信部を介して火災監視盤７に無線送信する。なお、このような無線送信部は、公知の無線式火災感知器に用いられている構成を利用することができるので、その具体的な説明は省略する。
【００４４】
また、Ｏ2センサ４は、対象空間１の酸素濃度を測定するための酸素濃度測定手段である。このＯ2センサ４の設置位置は任意であるが、本実施の形態１においては、対象空間１の壁面に設置されている。
【００４５】
次に、酸素濃度調整ユニット５は、対象空間１の酸素濃度を、通常酸素濃度から低酸素濃度にかけて調整する酸素濃度調整手段である。この酸素濃度調整ユニット５は、例えば、酸素濃度を調整するための各種装置を、１つの筐体の内部に収容してユニット構成されている。具体的には、この筐体に、外気を圧送するためのコンプレッサ、このコンプレッサにて圧送された外気から酸素と窒素とを分離して窒素富化ガスと酸素富化ガスとを生成する酸素分離フィルタ、この酸素分離フィルタによって生成された酸素富化ガスを貯留するための酸素富化タンク、この酸素分離フィルタによって生成された窒素富化ガスを貯留するための窒素富化タンク等を備えて構成されている。
【００４６】
また、酸素濃度制御盤６は、酸素濃度調整ユニット５を制御する酸素濃度制御手段である。この酸素濃度制御盤６は、Ｏ2センサ４によって測定された酸素濃度を参照しつつ、酸素濃度調整ユニット５を制御して対象空間１に酸素富化ガス又は窒素富化ガスを供給させることにより、この対象空間１の酸素濃度を所望の酸素濃度に調整する。
【００４７】
また、火災監視盤７は、対象空間１の酸素濃度に基づいて、火災の検出に用いるセンサを煙センサ２とＣＯセンサ３とのいずれか一方に切り替えることにより、火災の検出位置を変更するもので、特許請求の範囲における制御手段に対応する。図４は、火災監視盤７の電気的構成を機能概念的に示すブロック図である。この図４に示すように火災監視盤７は、アンテナ７ａ、スピーカ７ｂ、メモリ７ｃ、外部入出力端子７ｄ、及び、制御部７ｅを備えて構成されている。
【００４８】
このうち、アンテナ７ａは、カード型のＣＯセンサ３ｂ、携帯電話一体型のＣＯセンサ３ｃ、及び、卓上型のＣＯセンサ３ｄからの無線出力を受信する受信手段である。また、スピーカ７ｂは、火災発生時にブザー音を鳴動させる音声出力手段である。また、メモリ７ｃは、当該火災監視盤７の処理に必要な各種の情報を記憶する記憶手段であり、特に、通常酸素濃度と低酸素濃度との境界を示す閾値を記憶する。また、外部入出力端子７ｄは、当該火災監視盤７に対する入力及び当該火災監視盤７からの出力を行うための端子群であり、この外部入出力端子７ｄにおいて当該火災監視盤７は、上述した煙センサ２、ＣＯセンサ３、及び、酸素濃度制御盤６の他、図示しない連動先の外部機器に電気的に接続されている。また、制御部７ｅは、当該火災監視盤７の各部を制御する制御手段であり、例えば、メモリ７ｃに記憶された制御プログラムをロードして実行するＣＰＵ（Ｃｅｎｔｒａｌ  Ｐｒｏｃｅｓｓｉｎｇ  Ｕｎｉｔ）を備えて構成されている。
【００４９】
（火災検出処理）
次に、上記のように構成された火災検出システムにおける火災検出処理について説明する。図５は、この火災検出処理のフローチャートである。この図５に示すように、火災監視盤７の制御部７ｅは、Ｏ2センサ４からの出力に基づいて、対象空間１の酸素濃度が通常酸素濃度であるか又は低酸素濃度であるか（１７％以上であるか否か）を監視する（ステップＳＡ−１）。
【００５０】
そして、通常酸素濃度である場合（ステップＳＡ−１、Ｙｅｓ）、制御部７ｅは、第１の検出高さＨ１に配置されたセンサ（つまり、本実施の形態１では煙センサ２）から、発報出力が行われたか否かを監視する（ステップＳＡ−２）。そして、発報出力が行われた場合（ステップＳＡ−２、Ｙｅｓ）、制御部７ｅは、警報音を鳴らして火災を報知すると共に、所定の外部機器に対して連動の発報出力を行うことで連動動作を行わせる（ステップＳＡ−３）。このように、通常酸素濃度時には、天井１ａの近傍の煙センサ２を用いて火災感知を行うことができるので、熱気流によって天井１ａの近傍に上昇する煙を感知することで早期の火災感知を行うことができる。
【００５１】
一方、ステップＳＡ−１において、対象空間１の酸素濃度が低酸素濃度であると判断された場合（ステップＳＡ−１、Ｎｏ）、制御部７ｅは、第２の検出高さＨ２に配置されたセンサ（つまり、本実施の形態１ではＣＯセンサ３）から、発報出力が行われたか否かを監視する（ステップＳＡ−４）。そして、発報出力が行われた場合（ステップＳＡ−４、Ｙｅｓ）、制御部７ｅは、警報音を鳴らして火災を報知すると共に、所定の外部機器に対して連動の発報出力を行うことで連動動作を行わせる（ステップＳＡ−３）。このように、低酸素濃度時には、天井１ａの近傍より下方のＣＯセンサ３を用いて火災感知を行うことができるので、天井１ａの近傍に上昇せずに対象空間１の全体に漂うＣＯを感知することで早期の火災感知を行うことができる。
【００５２】
（実施の形態１の変形例）
次に、本発明に係る実施の形態１の変形例について説明する。この変形例に係る火災検出システムは、第１の検出位置に熱センサ（熱感知器）、第２の検出位置に煙センサ及びＣＯセンサを配置した点において、第１の検出位置に煙センサ、第２の検出位置にＣＯセンサを配置した実施の形態１と異なる。ただし、実施の形態１と略同様の構成については、必要に応じて、実施の形態１において使用したのと同一の符号を付し、その説明を省略する。
【００５３】
（火災検出システムの構成）
図６は、この変形例に係る火災検出システムの全体構成を示す図である。この図６において、第１の検出位置Ｈ１には熱センサ８、第２の検出位置Ｈ２には煙センサ２及びＣＯセンサ３ｂ〜３ｄが配置されている。
【００５４】
このうち、熱センサ８は、対象空間１の温度に基づいて火災を検出するもので、特許請求の範囲におけるセンサに対応する。この熱センサ８による検出原理は任意であるが、例えば、サーミスタ等の温度検出素子を備え、この温度検出素子の出力が所定の閾値を超えた場合には、火災が発生したものと判断して発報信号を出力する。
【００５５】
（火災検出処理）
次に、上記のように構成された火災検出システムにおける火災検出処理について説明する。ただし、この火災検出処理は、図５に示した実施の形態１の火災検出処理と同様に行うことができるため、概要のみを説明する。すなわち、火災監視盤７は、Ｏ2センサ４からの出力に基づいて、対象空間１の酸素濃度が通常酸素濃度であるか又は低酸素濃度であるかを監視し、通常酸素濃度である場合には、第１の検出高さＨ１に配置された熱センサ８からの発報出力の有無、低酸素濃度時には、第２の検出高さＨ２に配置された煙センサ２及びＣＯセンサ３ｂ〜３ｄからの発報出力の有無を監視して、発報出力が行われた場合には、警報音を鳴らして火災を報知すると共に、所定の外部機器に対して連動の発報出力を行うことで連動動作を行わせる。この変形例によれば、特に、通常酸素濃度である場合には熱センサ８にて火災を検知することで、火災センサとして現在最も普及している熱センサをそのまま利用でき、既設の建屋においても酸素濃度可変空間の火災検出システムを容易かつ安価に構築できる。なお、第２の検出高さＨ２に配置するセンサとしては、煙センサ２又はＣＯセンサ３ｂ〜３ｄのいずれか一方のみを設けてもよい。
【００５６】
（実施の形態１の効果）
このように実施の形態１によれば、対象空間１の酸素濃度に応じて、火災感知に使用するセンサの種類と位置を自動的に変更することができるので、酸素濃度に応じて変化する対象空間１の物理現象に好適な形態で火災感知を行うことができ、早期かつ確実な火災感知を行うことができる。また、２つの位置のそれぞれにセンサを配置しておくことで、後述する実施の形態２のように１つのセンサを２位置に移動させるための機構や制御が不要になることから、火災監視システムを簡易かつ安価に構成することができる。また、ＣＯセンサ３を人の居住域に配置しているので、ＣＯを吸引することによって人に悪影響が出ることを防止でき、火災以外の安全性にも配慮した火災検出システムを構築できる。さらに、第１の検出高さＨ１に熱センサ８を配置した場合には、火災センサとして現在最も普及している熱センサをそのまま利用でき、既設の建屋においても酸素濃度可変空間の火災検出システムを容易かつ安価に構築できる。
【００５７】
〔実施の形態２〕
次に、本発明に係る実施の形態２について説明する。本実施の形態２に係る火災検出システムは、１つのセンサを２つの位置に移動させるものである点において、２つのセンサを固定的に配置した実施の形態１と異なる。ただし、実施の形態１と略同様の構成については、必要に応じて、実施の形態１において使用したのと同一の符号を付し、その説明を省略する。
【００５８】
（火災検出システムの構成）
図７は、本実施の形態２に係る火災検出システムの全体構成を示す図である。この図７において、対象空間１には、煙センサ２、Ｏ2センサ４、昇降装置１０、プロジェクタスクリーン１１、酸素濃度調整ユニット５、酸素濃度制御盤６、及び、火災監視盤１２を備えて構成されており、これら各部が図示点線で示すように電気的に接続されている。
【００５９】
このうち、昇降装置１０は、煙センサ２を第１の検出高さＨ１と第２の検出高さＨ２との２位置に移動させるもので、特許請求の範囲における移動手段に対応する。この昇降装置１０の具体的構成は任意であるが、例えば、鉛直方向に沿った向きで壁面に固定された空圧式のアクチュエータとして構成されており、このアクチュエータを動作させることによって、煙センサ２を移動可能である。
【００６０】
また、プロジェクタスクリーン１１は、図示しないプロジェクター装置から投影された画像を表示するための投影用のロールスクリーンである。図８には、このプロジェクタスクリーン１１の斜視図を示す。この図８に示すように、プロジェクタスクリーン１１は、画像の被投影面を構成するスクリーン１１ａと、このスクリーン１１ａを巻き取り又は巻き出しするための巻き取り機構１１ｂとを備えて構成されている。ここで、スクリーン１１ａの下端部には煙センサ２が固定されており、このスクリーン１１ａを巻き取り機構１１ｂによって巻き取り又は巻き出しすることにより、スクリーン１１ａに伴って煙センサ２が昇降される。
【００６１】
すなわち、プロジェクタスクリーン１１は、通常の投影用のロールスクリーンとしての機能の他、煙センサ２を第１の検出高さＨ１と第２の検出高さＨ２との２位置に移動させる手段としても利用されており、特許請求の範囲における移動手段に対応する。なお、プロジェクタスクリーン１１の具体的構成は、従来の自動巻き取り式のプロジェクタスクリーンと同様に構成することができるので、その詳細な説明を省略する。
【００６２】
また、火災監視盤１２は、対象空間１の酸素濃度に基づいて、火災の検出に用いるセンサを煙センサ２とＣＯセンサ３とのいずれか一方に切り替えることにより、火災の検出位置を変更するもので、特許請求の範囲における制御手段に対応する。図９は、火災監視盤１２の電気的構成を機能概念的に示すブロック図である。この図９に示すように火災監視盤１２は、スピーカ１２ａ、メモリ１２ｂ、外部入出力端子１２ｃ、及び、制御部１２ｄを備えて構成されており、これら各部は、制御部１２ｂの制御内容を除いて、実施の形態１のスピーカ７ｂ、メモリ７ｃ、外部入出力端子７ｄ、及び、制御部７ｅとそれぞれ略同様に構成されている。
【００６３】
（火災検出処理）
次に、上記のように構成された火災検出システムにおける火災検出処理について説明する。図１０は、この火災検出処理のフローチャートである。この図１０に示すように、火災監視盤１２の制御部１２ｄは、Ｏ2センサ４からの出力に基づいて、対象空間１の酸素濃度が通常酸素濃度であるか又は低酸素濃度であるか（１７％以上であるか否か）を監視する（ステップＳＢ−１）。そして、通常酸素濃度である場合（ステップＳＢ−１、Ｙｅｓ）、制御部１２ｄは、煙センサ２が上方位置、すなわち、第１の検出高さＨ１に配置されているか否かを判断し（ステップＳＢ−２）、配置されていない場合には（ステップＳＢ−２、Ｎｏ）、昇降装置１０に制御信号を送ってアクチュエータを駆動させると共に、巻き取り機構１１ｂに制御信号を送ってスクリーン１１ａを巻き取らせることで、煙センサ２を第１の検出高さＨ１になるまで移動させる（ステップＳＢ−２〜ステップＳＢ−３）。
【００６４】
そして、制御部１２ｄは、この煙センサ２から発報出力が行われたか否かを監視し（ステップＳＢ−４）、発報出力が行われた場合には（ステップＳＢ−４、Ｙｅｓ）、警報音を鳴らして火災を報知すると共に、所定の外部機器に対して連動の発報出力を行うことで連動動作を行わせる（ステップＳＢ−５）。このように、通常酸素濃度時には、煙センサ２を天井１ａの近傍に移動させて火災感知を行うことができるので、熱気流によって天井１ａの近傍に上昇する煙を感知して早期の火災感知を行うことができる。
【００６５】
一方、ステップＳＢ−１において、対象空間１の酸素濃度が低酸素濃度であると判断された場合（ステップＳＢ−１、Ｎｏ）、制御部１２ｄは、煙センサ２が下方位置、すなわち、第２の検出高さＨ２に配置されているか否かを判断し（ステップＳＢ−６）、配置されていない場合には（ステップＳＢ−６、Ｎｏ）、昇降装置１０に制御信号を送ってアクチュエータを駆動させると共に、巻き取り機構１１ｂに制御信号を送ってスクリーン１１ａを巻き出させることで、煙センサ２を第２の検出高さＨ２になるまで移動させる（ステップＳＢ−６〜ステップＳＢ−７）。
【００６６】
そして、制御部１２ｄは、この煙センサ２から発報出力が行われたか否かを監視し（ステップＳＢ−４）、発報出力が行われた場合には（ステップＳＢ−４、Ｙｅｓ）、警報音を鳴らして火災を報知すると共に、所定の外部機器に対して連動の発報出力を行うことで連動動作を行わせる（ステップＳＢ−５）。このように、低酸素濃度時には、煙センサ２を天井１ａの近傍より下方に移動させて火災感知を行うことができるので、天井１ａの近傍に上昇せずに対象空間１の全体に漂う煙を感知することで早期の火災感知を行うことができる。
【００６７】
（実施の形態２の効果）
このように実施の形態２によれば、対象空間１の酸素濃度に応じて、火災感知に使用するセンサを自動的に移動させてその位置を変更することができるので、酸素濃度に応じて変化する対象空間１の物理現象に好適な位置で火災感知を行うことができ、早期かつ確実な火災感知を行うことができる。また、１つのセンサを２つの位置に移動させることから、実施の形態１のように２位置のそれぞれにセンサを配置しておく必要がなく、センサ個数を減らすことで、火災監視システムを簡易かつ安価に構成することができる。
【００６８】
〔実施の形態３〕
次に、本発明に係る実施の形態３について説明する。本実施の形態３に係る火災検出システムは、略同一高さに配置した複数種類のセンサを、対象空間１の酸素濃度に応じて切り替えるものである点において、高さが異なる複数の位置に配置したセンサを、対象空間１の酸素濃度に応じて切り替える実施の形態１と異なる。ただし、実施の形態１と略同様の構成については、必要に応じて、実施の形態１において使用したのと同一の符号を付し、その説明を省略する。
【００６９】
（火災検出システムの構成）
図１１は、本実施の形態３に係る火災検出システムの全体構成を示す図である。この図１１において、対象空間１には、煙センサ２、ＣＯセンサ３ａ、Ｏ2センサ４、酸素濃度調整ユニット５、酸素濃度制御盤６、及び、火災監視盤２０を備えて構成されており、これら各部が図示点線で示すように電気的に接続されている。
【００７０】
このうち、煙センサ２及びＣＯセンサ３ａは、略同一の高さの位置、具体的には、天井１ａの下面に設定されている。なお、本実施の形態３におけるＣＯセンサ３ａは、検出したＣＯの濃度に応じた電圧の信号を出力する。本実施の形態３において、煙は特許請求の範囲における第１の物理量に対応し、ＣＯは特許請求の範囲における第２の物理量に対応する。
【００７１】
また、火災監視盤２０は、対象空間１の酸素濃度に基づいて、火災の検出に用いるセンサを煙センサ２とＣＯセンサ３とのいずれか一方に切り替えることにより、火災の検出位置を変更するもので、特許請求の範囲における制御手段に対応する。図１２は、火災監視盤の電気的構成を機能概念的に示すブロック図である。この図１２に示すように火災監視盤２０は、スピーカ２０ａ、メモリ２０ｂ、外部入出力端子２０ｃ、及び、制御部２０ｄを備えて構成されており、これら各部は、制御部２０ｄの制御内容を除いて、実施の形態１のスピーカ７ｂ、メモリ７ｃ、外部入出力端子７ｄ、及び、制御部７ｅとそれぞれ略同様に構成されている。
【００７２】
ここで制御部２０ｄは、通常酸素濃度環境下では、火災検出に用いるセンサを煙センサ２、低酸素濃度環境下では、火災検出に用いるセンサをＣＯセンサ３に切り替える。図１３には、通常酸素濃度下におけるＣＯの濃度変化、図１４には、低酸素濃度下におけるＣＯガスの濃度変化を示す（横軸は火源となるヒータをＯＮしてからの経過時間、縦軸はＣＯガスの濃度を示す）。この図１３に示すように、通常酸素濃度下においてはＣＯの濃度は緩やかに上昇するが、図１４に示すように、低酸素濃度下においてはＣＯの濃度が急激に上昇することが分かる。このため、本実施の形態３においては、通常酸素濃度下においては従来と同様に煙センサ２にて火災を感知し、低酸素濃度下においてＣＯセンサ３にて火災を感知する。
【００７３】
（火災検出処理）
次に、上記のように構成された火災検出システムにおける火災検出処理について説明する。図１５は、この火災検出処理のフローチャートである。この図１５に示すように、火災監視盤２０の制御部２０ｄは、Ｏ2センサ４からの出力に基づいて、対象空間１の酸素濃度が通常酸素濃度であるか又は低酸素濃度であるか（１７％以上であるか否か）を監視する（ステップＳＣ−１）。そして、通常酸素濃度である場合（ステップＳＣ−１、Ｙｅｓ）、制御部２０ｄは、煙センサ２から発報出力が行われたか否かを監視し（ステップＳＣ−２）、発報出力が行われた場合には、警報音を鳴らして火災を報知すると共に、所定の外部機器に対して連動の発報出力を行うことで連動動作を行わせる（ステップＳＣ−３）。このように、通常酸素濃度時には、煙センサ２の出力に基づいて火災感知を行うことができるので、通常酸素濃度環境下で火災初期に増加する煙を感知して早期の火災感知を行うことができる。
【００７４】
一方、ステップＳＣ−１において、対象空間１の酸素濃度が低酸素濃度であると判断された場合（ステップＳＣ−１、Ｎｏ）、制御部２０ｄは、ＣＯセンサ３ａから出力に基づいて、対象空間１のＣＯ濃度が、火災発生を示す所定のＣＯ濃度（例えば、１５０ｐｐｍ。以下、火災ＣＯ濃度）以上であるか否かを監視し（ステップＳＣ−４）、火災ＣＯ濃度以上である場合には（ステップＳＣ−４、Ｙｅｓ）、警報音を鳴らして火災を報知すると共に、所定の外部機器に対して連動の発報出力を行うことで連動動作を行わせる（ステップＳＣ−３）。また、ステップＳＣ−４において、火災ＣＯ濃度以上でないと判断された場合（ステップＳＣ−４、Ｎｏ）、制御部２０ｄは、火災ＣＯ濃度より低い濃度であるが人体に危険を生じさせ得る所定のＣＯ濃度（例えば、５０ｐｐｍ。以下、危険ＣＯ濃度）以上であるか否かを監視し（ステップＳＣ−５）、危険ＣＯ濃度以上である場合には警報音を鳴らして危険を報知する（ステップＳＣ−６）。このように、低酸素濃度時には、ＣＯセンサ３の出力に基づいて火災感知を行うことができるので、低酸素濃度環境下で火災初期に増加するＣＯを感知して早期の火災感知を行うことができる。
【００７５】
（実施の形態３の効果）
このように実施の形態３によれば、対象空間１の酸素濃度に応じて、火災感知に使用するセンサの種類を自動的に切り替えることができるので、酸素濃度に応じて火災初期に増加する物理量に基づいて火災感知を行うことができ、早期かつ確実な火災感知を行うことができる。また、２つの位置のそれぞれにセンサを配置しておくことで、上述した実施の形態２のように１つのセンサを２位置に移動させるための機構や制御が不要になることから、火災監視システムを簡易かつ安価に構成することができる。
【００７６】
〔III〕各実施の形態に対する変形例
以上、本発明の各実施の形態について説明したが、本発明の具体的な構成及び方法は、特許請求の範囲に記載した各発明の技術的思想の範囲内において、任意に改変及び改良することができる。以下、このような変形例について説明する。
【００７７】
（解決しようとする課題や発明の効果について）
まず、発明が解決しようとする課題や発明の効果は、上記した内容に限定されるものではなく、本発明によって、上記に記載されていない課題を解決したり、上記に記載されていない効果を奏することもでき、また、記載されている課題の一部のみを解決したり、記載されている効果の一部のみを奏することがある。例えば、対象空間１における火災を完全に検出できない場合であっても、従来の火災検出システムより若干でも迅速に火災を検出できている限りにおいて、本願の課題は達成されている。
【００７８】
（各実施の形態の関係）
各実施の形態に示した種々の特徴は、相互に混在させることもできる。例えば、実施の形態２では、煙センサのみを用いているが、実施の形態１や実施の形態３と同様に、さらにＣＯセンサを用いてもよい。あるいは、実施の形態１において煙センサのみを第１の検出高さと第２の検出高さに設け、対象空間１の酸素濃度に基づいて切り替えてもよい。また、実施の形態１のように固定的に設置した煙センサ又はＣＯセンサと、実施の形態２のように移動可能に配置した煙センサとを用いることもできる。
【００７９】
（火災センサの種類、個数、連動形態について）
火災を検出するためのセンサの種類、個数、又は、連動形態は、上述したものに限定されない。例えば、実施の形態１においては、通常酸素濃度時には煙センサ、低酸素濃度時にはＣＯセンサを用いているが、低酸素濃度時には煙センサとＣＯセンサの両方を用いることとし、いずれか一方から発報出力が出された場合には火災と判断し、あるいは、両方の発報出力のＡＮＤをとって火災判断を行ってもよい。また、火災センサの具体的形式も任意であり、例えば、居住域の高さである第２の検出高さに人や物が存在しない場合には、分離型のセンサを用いて広範な領域をカバーするようにしてもよい。また、火災センサの個数も任意であり、同一種類のセンサを複数配置してもよい。また、ＣＯセンサを携帯式とする場合にも種々の形態を取ることができ、例えば、パソコン、固定電話、構内ＰＨＳ端末等の内部に組み込んでもよい。また、実施の形態１〜３においては、検出された煙やＣＯが所定量以上であるか否かに基づいて火災有無を判別しているが、単位時間あたりの検出量（検出量の傾き）が所定量以上になった場合に火災が発生したと判断してもよい。また、一つのセンサに煙とＣＯ、あるいは、熱とＣＯの両方の検出機能を備えた複合型のセンサを用いてもよい。
【００８０】
（検出位置について）
また、第１の検出位置や第２の検出位置に加え、他の検出位置を設定してここにセンサを配置してもよい。例えば、酸素濃度を３つ以上のレベルに区分し、各レベルに応じた異なる位置に配置されたセンサを用いて火災を検出してもよい。
【００８１】
（火災センサの切り替え形態について）
火災センサの切り替えは、Ｏ2センサ４からの出力に基づいて行っているが、対象空間１の酸素濃度を酸素濃度制御盤６から受け取り、これに基づいて行ってもよい。また、必ずしも自動に限られず、ユーザが手動で切り替えてもよい。
【産業上の利用可能性】
【００８２】
以上のように、本発明に係る酸素濃度可変空間における火災検出システムは、酸素濃度可変空間における火災検出のために利用され、特に、火災を如何なる酸素濃度でも早期かつ確実に検出することに有用である。
【図面の簡単な説明】
【００８３】
【図１】本発明の実施の形態１に係る火災検出システムの全体構成を示す図である。
【図２】通常酸素濃度下における対象空間の温度分布を示す図である。
【図３】低酸素濃度下における対象空間の温度分布を示す図である。
【図４】火災監視盤の電気的構成を機能概念的に示すブロック図である。
【図５】実施の形態１に係る火災検出処理のフローチャートである。
【図６】実施の形態１の変形例に係る火災検出システムの全体構成を示す図である。
【図７】本発明の実施の形態２に係る火災検出システムの全体構成を示す図である。
【図８】プロジェクタスクリーンの斜視図である。
【図９】火災監視盤の電気的構成を機能概念的に示すブロック図である。
【図１０】実施の形態２に係る火災検出処理のフローチャートである。
【図１１】本発明の実施の形態３に係る火災検出システムの全体構成を示す図である。
【図１２】火災監視盤の電気的構成を機能概念的に示すブロック図である。
【図１３】通常酸素濃度下におけるＣＯの濃度変化を示す図である。
【図１４】低酸素濃度下におけるＣＯの濃度変化を示す図である。
【図１５】実施の形態３に係る火災検出処理のフローチャートである。
【符号の説明】
【００８４】
１  対象空間
１ａ  天井
２  煙センサ
３、３ａ〜３ｄ  ＣＯセンサ
４  Ｏ2センサ
５  酸素濃度調整ユニット
６  酸素濃度制御盤
７、１２、２０  火災監視盤
７ａ  アンテナ
７ｂ、１２ａ、２０ａ  スピーカ
７ｃ、１２ｂ、２０ｂ  メモリ
７ｄ、１２ｃ、２０ｃ  外部入出力端子
７ｅ、１２ｄ、２０ｄ  制御部
８  熱センサ
１０  昇降装置
１１  プロジェクタスクリーン
１１ａ  スクリーン
１１ｂ  巻き取り機構
【図１】
2006236086.tif 000003
【図２】
2006236086.tif 000004
【図３】
2006236086.tif 000005
【図４】
2006236086.tif 000006
【図５】
2006236086.tif 000007
【図６】
2006236086.tif 000008
【図７】
2006236086.tif 000009
【図８】
2006236086.tif 000010
【図９】
2006236086.tif 000011
【図１０】
2006236086.tif 000012
【図１１】
2006236086.tif 000013
【図１２】
2006236086.tif 000014
【図１３】
2006236086.tif 000015
【図１４】
2006236086.tif 000016
【図１５】
2006236086.tif 000017